(57)【要約】【課題】パネル端部に凹設されたコネクター部等の電気接続や、メンテナンスの際は容易に開放され、通常は上記コネクター部等を保護し、施蓋するカバー体を有し、かつ、意匠性に優れた床暖房パネルを提供する。【解決手段】電源線に接続されるコネクター部５と該コネクター部５を収める収納筐体８および該コネクター部５に結線された発熱体４とを含む発熱ユニットを断熱性の基材７に埋設してなる発熱パネルであって、該発熱パネルを覆う表面材３の一端縁には下方の収納筐体８に臨む平面視コ字形の切欠部３ａを設けるとともに、該切欠部３ａを構成する一側縁３１と該切欠部３ａを覆うフタ体１とが回動自在に蝶着されてなる床暖房パネルＡ。【選択図】図２
2010210135.tif 000002
【特許請求の範囲】
【請求項１】
電源線に接続されるコネクター部と該コネクター部を収める収納筐体および該コネクター部に結線された発熱体とを含む発熱ユニットを断熱性の基材に埋設してなる発熱パネルであって、該発熱パネルを覆う表面材の一端縁には下方の収納筐体に臨む平面視コ字形の切欠部を設けるとともに、該切欠部を構成する一側縁と該切欠部を覆うフタ体とが回動自在に蝶着されてなる床暖房パネル。
【請求項２】
上記切欠部を構成する一側縁が表面材の幅方向にあり、上記フタ体が該幅方向一側縁に回動自在に蝶着されてなる請求項１に記載の床暖房パネル。
【請求項３】
上記フタ体と上記切欠部を構成する一側縁との対向面のそれぞれに面取り加工が施されたものである請求項１に記載の床暖房パネル。
【請求項４】
上記フタ体と上記切欠部を構成する一側縁とが離間して蝶着されてなる請求項１に記載の床暖房パネル。
【発明の詳細な説明】
【技術分野】
【０００１】
本願発明は床暖房パネルに関し、さらに詳しくは、マンションや戸建住宅等、一般住宅の床下地材に直貼り施工できる床暖房パネルの構造に関するものである。
【背景技術】
【０００２】
近年、快適な居住性への志向が高まる中で、一般住宅のリビングルームやトイレルーム等を暖房する方法として、床面に面状ヒーター等の発熱体を埋め込んで床全体を発熱させる床暖房が普及しつつある。このような床暖房については、種々の技術が開発されているが、電熱ヒーターをパネルユニットに組み込んで加熱する電熱方式のものが主流となっており、近年では、例えば、コンパネ等、フラットな床下地材へ直貼りできる床暖房パネルが知られている。
【０００３】
上記床暖房パネルの施工は、隣接するパネルユニットどうしを電気的に接続して行われるが、隣接するパネルの配線接続部は、通常、パネルユニットの端部に凹部を設けて収納され、相互に接続される。この接続作業は、簡便、かつ、容易であることが必要とされ、また、メンテナンス時においても、コネクター部等、電気的な接続部分の清掃、点検等の作業が容易に行われることが求められる。ここで、パネルユニットの端部に設けられた収納凹部には、通常、配線接続部を覆って保護するために取り外し可能なフタが装着されている。
【０００４】
本願図４は公知の床暖房パネルＢの一例を示す部分破断平面図である。また、本願図５は本願図４におけるＸ−Ｘ線に沿う断面図である。本願図５に示されているように、面状ヒーター、コード状ヒーター等、電気的に発熱する発熱体４は、図外電源線から給電され、コネクター部５から結線４１を経由して流れる電流によって発熱する。ここでコネクター部５は、パネルユニットの端部に配設された収納筐体８に収納されている。
【０００５】
本願図４、図５に示されるように、発熱体４、コネクター部５を収納した収納筐体８、結線４１等はロックウール、発泡ウレタン、発泡ポリスチレン、発泡ポリエチレン、グラスウール等の断熱材が充填された基材７に埋設されるとともに、基材７を含むパネル全体は枠部材９によって囲繞される。また、枠部材９を含む表面全体は、化粧材で化粧された表面材３で覆うことによって、例えば、木目模様に化粧された床暖房パネルＢを形成する。上記基材７の裏面はアルミシート、アルミ−紙複合シート等の裏面材７１でバッキングされる。
【０００６】
ここで、図４に示すように、上記表面材３の端縁には平面視コ字形に切り欠かれた切欠部３ａが設けられ、この切欠部３ａの下方には上記収納筐体８が配設されている。また、この切欠部３ａは通常、取り外し自在とされたフタ体６で覆われ、下方に位置する収納筐体８の内部に収められたコネクター部５等が、チリ、埃や水分等の作用によって短絡、漏電する等の不都合が生じないように保護されている。
【０００７】
図４において、フタ体６は上記切欠部３ａを覆って収納筐体８に装着された状態を示し、フタ体６ａはメンテナンスや、隣接するパネルユニットを電気的に接続する作業等のために取り外した状態を示す。このようにフタ体６を取り外した状態で、コネクター部５等の点検作業が行われる。
【０００８】
一方、上記床暖房パネルの配線の接続に関しては、例えば、特開平７−１２３６３号公報に開示の技術をあげることができる。上記特開平７−１２３６３号公報には、隣接する床暖房パネルの相互の配線接続構造であって、接続部位のパネル裏面にはヒンジ機構によりカバー体を開閉自在とした切欠き部が設けられ、この切欠部には端子台が備えられ、かつ端子台に接続する伸縮自在な接続ケーブルが蛇行状態で収納されていることを特徴とする床暖房パネルの配線接続構造が開示されている。
【０００９】
そして、その効果として、従来技術の欠点を解消し、施工およびメンテナンスが簡便、かつ容易で、しかもメンテナンス時に配線および接続部にストレスを余計にかけることもない改善された床暖房パネルの配線接続構造が提供できると記載されている。
【先行技術文献】
【特許文献】
【００１０】
【特許文献１】特開平７−１２３６３号公報
【発明の概要】
【発明が解決しようとする課題】
【００１１】
本願図４、図５に示す従来技術においては、フタ体６が切欠部３ａに着脱自在とされているため、メンテナンス等の際には簡単に取り外すことが可能であり、収納筐体８が開放されてコネクター部５等の全体が容易に目視でき、点検等を作業性よく行えるという利点があるが、取り外したフタ体６が作業中に取り紛れて紛失するという問題がある。また、複数の収納筐体８の内部を一斉に点検する際、あるフタ体６がどの切欠部３ａに装着されていたものかが分からなくなり、それぞれ、元の切欠部３ａにきっちりと納めることが困難となるという問題もある。
【００１２】
一方、上記特許文献１には、床暖房パネルの裏面にヒンジ機構でカバー体が開閉自在に設けられた技術が記載されているが、カバー体は閉じる方向に戻る力を具え、端子台に接続する伸縮自在な接続ケーブルはこの戻り勝手のカバー体によって制約され、そのため、切欠部内へ戻りやすくなり、施工時やメンテナンス時に、床面とパネルとの間に挟み込まれることがないという効果が述べられている。
【００１３】
このとき、メンテナンス時等にカバー体を開けるためには、戻る力に対抗するより大きな力が必要となる。また、開放した状態を保つには、何らかの保持手段が必要となるため、上記コネクター部回り等の点検等、メンテナンス作業を容易にすることができないという問題がある。
【００１４】
本願発明は、上記背景技術に鑑みてなしたものであり、その目的は、一般住宅に用いられる床暖房パネルの端部に凹設された配線接続部を、通常はカバー体で覆って内部に埋設された配線接続部を保護するとともに、メンテナンスや該配線接続部を電気的に接続する作業等のために開放するときは容易に開放可能とされたカバー体を有し、かつ、意匠性に優れた床暖房パネルを提供することである。
【課題を解決するための手段】
【００１５】
上記課題を解決するために、本願請求項１に記載の発明に係る床暖房パネルは、電源線に接続されるコネクター部と該コネクター部を収める収納筐体および該コネクター部に結線された発熱体とを含む発熱ユニットを断熱性の基材に埋設してなる発熱パネルであって、該発熱パネルを覆う表面材の一端縁には下方の収納筐体に臨む平面視コ字形の切欠部を設けるとともに、該切欠部を構成する一側縁と該切欠部を覆うフタ体とが回動自在に蝶着されてなることを特徴としている。
【００１６】
上記表面材としては、合板、集成材、中密度繊維板（ＭＤＦ）、パーティクルボード、またはＷＰＢ（ウッドプラスチックボード）等、種々の基材をあげることができる。これらは、例えば、表面に天然木の表皮を薄くスライスして得られた突き板を貼着し、あるいは、木目の意匠や色彩が印刷された合成樹脂シートや強力紙を貼着し、表面化粧して用いることが多い。
【００１７】
また、本願請求項２に記載の発明においては、上記請求項１に記載の床暖房パネルにおいて、上記切欠部を構成する一側縁が表面材の幅方向にあり、上記フタ体が該幅方向一側縁に回動自在に蝶着されてなることを特徴としている。
【００１８】
上記フタ体は、通常、表面材の端縁に設けられた切欠部に施蓋されて表面材と一体的に用いられるため、上述の表面材と同じデザイン、材質のものが好ましく用いられる。また、上記フタ体を回動自在に蝶着する方法としては、特に限定されるものではなく、通常の金属蝶番、プラスチック蝶番、プラスチック製の可撓性薄肉シート蝶番等が用いられる。
【００１９】
また、本願請求項３に記載の発明においては、上記請求項１に記載の床暖房パネルにおいて、上記フタ体と上記切欠部を構成する一側縁との対向面のそれぞれに面取り加工が施されたことを特徴としている。この面取り角度としては、それぞれ、３０度〜４５度とされる。
【００２０】
また、本願請求項４に記載の発明においては、上記請求項１に記載の床暖房パネルにおいて、フタ体と上記切欠部を構成する一側縁とが離間して蝶着されてなることを特徴としている。上記離間距離としては、通常、０．１ｍｍ〜１ｍｍが適当とされる。
【発明の効果】
【００２１】
本願請求項１記載の発明に係る床暖房パネルにおいては、発熱ユニットを断熱性の基材に埋設してなる発熱パネルを覆う表面材の一端縁には、下方にコネクター等を収めた収納筐体を臨む平面視コ字形の切欠部が設けられ、該切欠部を構成する一側縁と該切欠部を覆うフタ体とが回動自在に蝶着されてなるため、通常、上記カバー体は切欠部を覆って施蓋し、収納筐体内に収められたコネクター等の配線接続部を保護し、短絡、漏電等の不測の事態を防止することができる。
【００２２】
また、メンテナンス作業等のために開放が必要なときは、フタ体は切欠部を構成する一側縁を軸として回動可能であるため、簡単に回動して内部を目視でき、また、作業性よくメンテナンス作業を行うことができる。さらに、フタ体は上記一側縁に蝶着しているため、紛失することがなく、また、点検等の作業が完了した後、蝶着したフタ体を回動して切欠部に施蓋すれば、簡単に元の状態に戻すことができる。
【００２３】
また、本願請求項２記載の発明の床暖房パネルにおいては、特に、上記切欠部を構成する一側縁が表面材の幅方向にあり、上記フタ体がこの幅方向一側縁に回動自在に蝶着されてなるため、上記フタ体の自由端を持ち上げて長手方向に回動することにより、上記切欠部の下方に配設された収納筐体が開放され、収納筐体内に収められたコネクター等の配線接続部を容易に点検することができる。
【００２４】
また、本願請求項３記載の発明の床暖房パネルにおいては、特に、上記フタ体と該フタ体に対向する上記切欠部の一側縁とのそれぞれに３０度〜４５度程度の面取り加工が施されているため、フタ体の自由端を持ち上げて回動したとき、対向面どうしが突き合うことなく回動して角度が９０度以上である開き角度を得ることができる。そして、収納筐体内に収められたコネクター等の配線接続部の点検を容易に行うことができる。
【００２５】
また、本願請求項４記載の発明の床暖房パネルにおいては、特に、上記フタ体と上記切欠部を構成する一側縁とが離間して蝶着されているため、フタ体の自由端を持ち上げて回動したとき、相互に突き合うことなく回動することができる。そして、収納筐体内に収められたたコネクター部等の点検を容易に行うことができる。
【図面の簡単な説明】
【００２６】
【図１】本願発明に係る床暖房パネルを示す断面図。
【図２】本願発明に係る床暖房パネルの改良例を示す部分拡大断面図。
【図３】上記改良例においてフタ体を開いて収納筐体の内部を点検する状態を示す部分拡大断面図。
【図４】公知の床暖房パネルの一例を示す部分破断平面図。
【図５】本願図４におけるＸ−Ｘ線に沿う断面図。
【発明を実施するための形態】
【００２７】
以下、本願発明に係る床暖房パネルの実施形態について図面を参照して詳細に説明する。図１は、本願発明に係る床暖房パネルＡを示す断面図である。図１に示すように、図外電源線に接続されるコネクター部５、コネクター部５を収める収納筐体８、このコネクター部５から発熱体４に通電し発熱させるための結線４１等を含む発熱ユニットは、断熱性を有する基材７に埋設されて発熱パネルを構成している。また、基材７は既述した裏面材７１によってバッキングされている。９は床暖房パネルＡを構成する枠部材である。
【００２８】
上記発熱パネルは表面材３で覆われるとともに、該表面材３の一端縁には既述したように、平面視コ字形の切欠部３ａ（図３、４参照）が設けられ、この切欠部３ａの奥端部に位置する表面材３の幅方向一側縁３１と該切欠部３ａを覆うフタ体１の奥端縁部とはヒンジ手段２としての薄肉シート蝶番で回動自在に蝶着されている。
【００２９】
上記のようにして、フタ体１はヒンジ手段２によって回動自在とされ、通常は、フタ体１を閉として切欠部３ａの下方の収納筐体８に収められたコネクター部５等を保護する。一方、メンテナンス時等には、フタ体１を白抜き矢印で示すように、その自由端を持ち上げて表面材３の長手方向に回動することにより、容易に収納筐体８は開放され、コネクター部５と結線４１等の接続状態を点検することができる。
【００３０】
図２は、上記床暖房パネルＡに係る実施形態の改良例を示す部分拡大断面図である。本改良例においては、表面材３の幅方向一側縁３１とフタ体１との対向面の表面側それぞれに、角度αとして、α＝４５度〜６０度で面取り加工が施されている。このようにすることにより、フタ体１を回動して収納筐体８の内部を点検する際、図３に示すように、フタ体１は９０度〜１２０度の所定の開き角度βで開くことができる。そして、電源線とコネクター部５の接続状態等、コネクター回りを容易に点検することができる。
【００３１】
また、このとき、上記図２に示すように、フタ体１と表面材３との間を０．１ｍｍ〜１ｍｍの離間距離ｄで離間させ、ヒンジ手段２としての薄肉シート蝶番に固着することが好ましい。このようにすることにより、さらに容易に、フタ体１がヒンジ手段２の有する可撓性によって屈曲し、９０度以上の開き角度βで開くことができる。
【００３２】
上記実施形態においては、ヒンジ手段２として可撓性の薄肉シート蝶番を用いた例について述べたが、プラスチック蝶番を用いてもよい。あるいは、金属製の蝶番を用いてもよい。また、フタ体が上記切欠部を構成する表面材の幅方向一側縁に回動自在に蝶着された場合について述べたが、これに限られず、上記切欠部を構成する表面材の長さ方向一側縁に回動自在に蝶着されてもよい。このように本願発明に係る床暖房パネルは設計変更自在であり、特許請求の範囲を逸脱しない限り、いずれの場合も本願発明の技術的範囲に属する。
【符号の説明】
【００３３】
Ａ      本願発明に係る床暖房パネル
Ｂ      公知の床暖房パネル
α      面取り角度
β      開き角度
ｄ      離間距離
１      フタ体
２      ヒンジ手段
３      表面材
３ａ    切欠部
３１    幅方向一側縁
４      発熱体
４１    結線
５      コネクター部
６      公知技術におけるフタ体
６ａ    公知技術における取り外したフタ体
７      基材
７１    裏面材
８      収納筐体
９      枠部材
【図１】
2010210135.tif 000003
【図２】
2010210135.tif 000004
【図３】
2010210135.tif 000005
【図４】
2010210135.tif 000006
【図５】
2010210135.tif 000007